(57)【要約】【目的】この発明は、穀類乾燥機のクリーナー側より放出される塵埃の集塵器に取り付けるもので、集塵器から排出される微粉を取り除く除塵装置である。【構成】集塵器の排風口に接続可能な筒体内部適所に墳口を設けると共に、筒体より下方にほぼ同径で１メートル以上の長さを有する付着管なるものを設けたことを特徴とする、集塵器用の除塵装置。【選択図】  図１
2004223498.tif 000002
【特許請求の範囲】
【請求項１】
集塵器の排風口に接続可能な筒体が、水平より下方に向いている状態のところの筒体内部適所に、外部より水を取り入れ噴霧及び噴射可能な墳口を設けると共に、筒体より下方にほぼ同径で１メートル以上の長さを有する、細長な筒状の付着管なるものを設けたことを特徴とする、集塵器用の除塵装置。
【発明の詳細な説明】
【０００１】
【産業上の利用分野】
この発明は、穀類乾燥機の排塵筒より放出される、塵埃を取り除くべく集塵器において、その集塵器に取り付けることにより、更なる微紛を取り除くことの出来る、新規な構造の除塵装置に関する。
【０００２】
【従来の技術】
農家においては、穀類乾燥機から放出される塵埃が公害問題になっていることは知りつつも、集塵器が高額なため、普及が遅れているのが現状である。穀類乾燥機用の集塵器には、乾燥機から放出される塵埃を含む排風を集塵室なるものに通し、その集塵室に水を噴霧、あるいは噴射し、塵埃を水と絡めて水槽に集積する等の装置がある。穀類乾燥機から放出される塵埃は、通称ダクト側とクリーナー側の二箇所より放出されるが、塵埃が最も多く放出されているのはクリーナー側である。そのクリーナーは昇降機の上に設置された吸引ファンであり、穀類を循環させる際に発生する、藁くずやホコリを吸い込み外に放出することになる。昇降機は底の穀類をバケットで汲み上げ、上層で落下させることにより、連続的に循環するようになっており、その落下する際に穀類が攪拌され塵埃が発生するのである。クリーナーはその塵埃を二階ほどの高所より地面近くまで送風するため、筒状の排塵筒を下方に向けて、各種集塵器に接続し塵埃を袋に収集している。
【０００３】
クリーナー側の集塵器には、製材所の屋根に取り付けられているような、よく見かける公知のサイクロン方式の集塵器や、本出願人の更に安価な穀類乾燥機の集塵袋、特願２０００−２５８１８８でも理解できるように、袋自体がサイクロンの働きをする集塵器がある。排塵筒の口径は１５０ミリ以下とかなり小径のため、小型のものでも十分集塵することができ、公害問題が囁かれる中、便利であるため普及に期待がかかってきている。しかしながら、塵埃の中の藁くずやゴミ類の比較的大きなものは良く採れるものの、軽い微粉に対して、満足できるものでなく、微紛の数割は外に放出され、集塵器の周辺は粉で真っ白になっているのが現状である。
【０００４】
【発明が解決しようとする問題点】
従って、ほぼ完璧に近い集塵器となるとかなり高額なものとなり、米価の低迷や減反で苦しんでいる農家にとっては、今ひとつ普及されない原因となっている、しかし塵埃が多く放出されるクリーナー側の集塵器ならば、小型でしかも安価に製作可能となり普及が期待できる。現在販売されてるものは、サイクロン方式で理解できるような、風の流れを利用した重量差による集塵方法のため、藁くずやゴミ以外の軽い微粉は外に流出してしまい、今ひとつ物足りなさが残る。満足できる除塵装置にするには、集塵室を作り、その中に水を噴霧し、微紛を水と絡めて水槽に落下するようにすれば可能であるが、その為のスペースと高価な面で問題が残る。
【０００５】
【課題を解決するための手段】
今ここに、スペースをとらず、安価で満足できる簡単な方法での除塵装置が実験の結果成果を得ることができた。その構成は、各種集塵器の排風口に接続可能な筒体が、水平より下方に向いている状態のところの内部適所に、外部より水を取り入れ噴霧及び噴射可能の墳口を設けると共に、筒体より下方に向け、ほぼ同径で１メートル以上の長さを有する細長な筒状の付着管なるものを設けたことを特徴としている。
【０００６】
【実施例１】
この発明の代表的な実施例を図を参照に説明すると、図１は、代表的なサイクロン方式の集塵器に、本発明の除塵装置を取り付けた全体的な状態を示している。図２は本発明の要部の拡大したものである。筒状の排塵筒１が上部より垂れ下がった状態で、サイクロンＳから放出される塵埃を含んだ排風Ｈの取り入れ口となる導入口２に接続され、排風出口側となる筒状の排風口３に、上から被せた２本の筒体（曲り）４１，４１で下向きに排風されるように取りつけている。筒体（曲り）４１の下部に、直管の筒体４が接続され、その下に１メートル以上の長さを有する、細長なほぼ同径で筒状の附着管７が下向きに垂れ下がった状態で接続されている。筒体４の適所に、パイプの取り付け口５が突き刺さった状態で設けていて、水道やポンプなどのホース６を接続可能なものとしている。筒体４内部にある取り付け口５の先端部に墳口５１が設けられていて、この墳口５１は、噴霧形態、噴射角度、取り付け位置及び数を限定するものではない。また、図１及び図２で示した筒体４は筒状の直管のものとしているが、エルボ型の筒体（曲り）４１でも、内部適所に墳口５１を設けることも可能であり、更にコストが下がり都合の良いものとなる。排風口３、筒体（曲り）４１、筒体４、附着管７は、いずれも筒状のもので、ほぼ同等の太さの物としているが、筒体４を含むその下部は太くても構わない。また、附着管７は、排風によって膨らむことの可能なポリホース類も筒状のものとする。
【０００７】
【作用】
穀類乾燥機の、通称クリーナーより放出される塵埃を含んだ排風Ｈは、排塵筒１と接続した導入口２よりサイクロンＳ内部に入り、回転しながら比較的重い藁くずやゴミ等の塵埃は下方に落下し袋Ｆに溜ることになる。一方軽い空気と一部の微紛８は上部の排風口３を通り、筒体（曲り）４１、４１を経由し筒体４に送られ、筒体４内部適所に設けられた墳口５１より水Ｍを噴霧あるいは噴射されることにより、相当の微紛８に水分が付着し落下する。附着管７内部の風圧は、外部が高く中心部になる程低くなっており、水滴９や微粉８も中心部よりも附着管７の内壁、あるいは内壁近辺を多く通過するので、附着管７に付着した微粉８は、水滴９が吸い取り垂れ落ちることになる（風の流れも、緩やかな回転で流れることが多い）。乾燥機のクリーナーが排風する出口の口径は１５０ミリ以下の小径であるため、附着管７の長さは長ければ長いほど効率の良いものとなるが、１メートル以上あれば納得のできるものとなる。又、上部位置にホース６１を取り付け可能な容器Ｙに、附着管７の先端を入れておれば、上水は都合の良い場所に放水することができ、微噴８は底に沈殿し、周囲を汚すこともない。水Ｍの噴射については、特開平１０−３１４５２９でも理解できるように、円錐形の水膜を作る墳口を使用すれば使用水量は増えるが、さらに効率の良いものになる。
【０００８】
【発明の効果】
本発明の集塵器を使用するには、ホース６を水道に接続するか、あるいはポンプで水を汲み上げて使用することができる。墳口５１の水Ｍを噴射する穴はかなり小さなもので良く、水道を使用した場合でも、実験の結果、ほんの少し蛇口を開けるだけで十分に噴霧および噴射効果が出るため、水道料金もわずかですむ。現在普及されつつある、サイクロン方式の集塵器や集塵袋方式の集塵器では、藁くずなどの塵埃は取り除くことは可能であるが、微粉８は取れず周囲を真っ白にしていた。本発明の除塵装置を接続することにより微粉８を除去することが可能となり、しかも小スペースで安価にでき、公害問題も解決することができ一段の普及が期待される。
【図面の簡単な説明】
【図１】集塵器に接続した状態を示す、全体の斜視図である。
【図２】本発明の要部を示す拡大断面図である。
【符号の説明】
１    排塵筒
２    導入口
３    排風口
４    筒体
４１  筒体（曲り）
５    取り付け口
５１  噴口
６    ホース
６１  ホース
７    付着管
８    微粉
９    水滴
Ｓ    サイクロン
Ｆ    袋
Ｍ    水
Ｈ    排風
Ｙ    容器
【図１】
2004223498.tif 000003
【図２】
2004223498.tif 000004